(57)【要約】      （修正有）【課題】ワンタッチで容易に支柱同士を固定することができる農業・園芸用支柱の固定具を提供する。【解決手段】複数の支柱を固定するための農業・園芸用支柱の固定具１０であって、一方の支柱Ｌ１を保持する１つの湾曲部を持つ第１保持部１２と、他方の支柱Ｌ２を保持する２つの湾曲部を持つ第２保持部１４と、を有し、第１保持部と第２保持部とは、一体形成され、一方の支柱と他方の支柱とを交差した状態でかつ相互に所定の圧力を作用させた状態で、同時に固定する。【選択図】図３
0003186393.tif 000002
【実用新案登録請求の範囲】
【請求項１】
複数の支柱を固定するための農業・園芸用支柱の固定具であって、
一方の前記支柱を保持する第１保持部と、
他方の前記支柱を保持する第２保持部と、
を有し、
前記第１保持部と前記第２保持部とは、一体形成され、
前記第１保持部と前記第２保持部とは、一方の前記支柱と他方の前記支柱とを交差した状態でかつ相互に所定の圧力を作用させた状態で、一方の前記支柱と他方の前記支柱とを同時に固定することを特徴とする農業・園芸用支柱の固定具。
【請求項２】
前記第１保持部及び前記第２保持部は、線材に対して線材加工を施すことによって形成されていることを特徴とする請求項１に記載の農業・園芸用支柱の固定具。
【請求項３】
前記第１保持部は、一方の前記支柱の外周面の少なくとも一部に接触して当該支柱を保持する１つの湾曲部を有し、
前記第２保持部は、他方の前記支柱の外周面の少なくとも一部に接触して当該支柱を保持する２つの湾曲部を有することを特徴とする請求項１又は２に記載の農業・園芸用支柱の固定具。
【考案の詳細な説明】
【技術分野】
【０００１】
本考案は、例えば、農業・園芸用に使用する支柱を相互に固定するための農業・園芸用支柱の固定具に関する。
【背景技術】
【０００２】
従来の農業・園芸用支柱の固定具は、支柱を重ねた状態で収容可能な収容部を備えた固定具本体と、固定具本体に設けられ収容部に収容された支柱同士を固定するための固定部と、を有し、固定具本体は、収容部の一方端部側に設けられ固定部を保持する保持部と、収容部の他方端部側に設けられ固定部が収容部に収容された支柱を押圧した状態で固定部と係合可能な係合部と、を備え、固定部が保持部に保持された状態で係合部と係合することにより、収容部に収容された支柱同士を固定するものである（特許文献１参照）。
【先行技術文献】
【特許文献】
【０００３】
【特許文献１】実用新案登録第３１８２８１７号公報
【考案の概要】
【考案が解決しようとする課題】
【０００４】
ところが、特許文献１の固定具では、固定部が固定具本体の係合部と係合することにより支柱同士を固定するものであるが、固定部と係合部との係合動作が必要になり、取り扱いが少し複雑であった。
【０００５】
そこで、本考案は、上記問題を解決するためのものであり、ワンタッチで容易に支柱同士を固定することができる農業・園芸用支柱の固定具を提供することを目的とする。
【課題を解決するための手段】
【０００６】
本考案は、複数の支柱を固定するための農業・園芸用支柱の固定具であって、一方の前記支柱を保持する第１保持部と、他方の前記支柱を保持する第２保持部と、を有し、前記第１保持部と前記第２保持部とは、一体形成され、前記第１保持部と前記第２保持部とは、一方の前記支柱と他方の前記支柱とを交差した状態でかつ相互に所定の圧力を作用させた状態で、一方の前記支柱と他方の前記支柱とを同時に固定することを特徴とする。
【０００７】
この場合、前記第１保持部及び前記第２保持部は、線材に対して線材加工を施すことによって形成されていることが好ましい。
【０００８】
この場合、前記第１保持部は、一方の前記支柱の外周面の少なくとも一部に接触して当該支柱を保持する１つの湾曲部を有し、前記第２保持部は、他方の前記支柱の外周面の少なくとも一部に接触して当該支柱を保持する２つの湾曲部を有することが好ましい。  
【考案の効果】
【０００９】
本考案によれば、ワンタッチで容易に支柱同士を固定することができる。
【図面の簡単な説明】
【００１０】
【図１】本考案の一実施形態の農業・園芸用支柱の固定具の斜視図である。
【図２】本考案の一実施形態の農業・園芸用支柱の固定具の正面図である。
【図３】本考案の一実施形態の農業・園芸用支柱の固定具の一使用図である。
【考案を実施するための形態】
【００１１】
本考案の第１実施形態に係る農業・園芸用支柱の固定具について、図面を参照して説明する。
【００１２】
図１乃至図３に示すように、農業・園芸用支柱の固定具１０は、複数の支柱Ｌ１、Ｌ２を相対的に固定するためのものであって、主として、一方の支柱Ｌ１を保持する第１保持部１２と、他方の支柱Ｌ２を保持する第２保持部１４と、を有している。
【００１３】
第１保持部１２と第２保持部１４とは、線材に対して線材加工（例えば曲げ加工）を施すことによって相互に一体形成されている。
【００１４】
第１保持部１２と第２保持部１４とは、一方の支柱Ｌ１と他方の支柱Ｌ２とを略９０度の角度をもって交差させた状態でかつ相互に所定の圧力（作用・反作用力）を作用させた状態で、一方の支柱Ｌ１と他方の支柱Ｌ２とを同時に固定するものである。
【００１５】
なお、支柱同士の間に作用する圧力は、第１保持部１２及び第２保持部１４のばね力（弾性力）に起因して生じるものである。
【００１６】
次に、第１保持部１２と第２保持部１４の詳細な構成について説明する。
【００１７】
（第１保持部の構成）
第１保持部１２は、所定の方向に直線的に延びる第１延在部１２Ａと、第１延在部１２Ａに対して所定の開き角度をもって直線的に延びる第２延在部１２Ｂと、第１延在部１２Ａと第２延在部１２Ｂとを接続し一方の支柱Ｌ１の外周面の少なくとも一部に接触して当該支柱Ｌ１を保持する中央湾曲部１２Ｃと、を含んで構成されている。
【００１８】
中央湾曲部１２Ｃは、例えば鉛直方向（図１乃至図３中矢印Ｘ方向）に延びる支柱Ｌ１を保持するものである。
【００１９】
（第２保持部の構成）
第２保持部１４は、第１延在部１２Ａに接続する一方側湾曲部１４Ａと、第２延在部１２Ｂに接続する他方側湾曲部１４Ｂと、を含んで構成されている。
【００２０】
一方側湾曲部１４Ａは、一方側大径湾曲部１４Ａ１と、一方側小径湾曲部１４Ａ２と、を有している。一方側大径湾曲部１４Ａ１と一方側小径湾曲部１４Ａ２は、相互に連続して一体形成されている。一方側大径湾曲部１４Ａ１（あるいは一方側小径湾曲部１４Ａ２）で囲まれて形成される湾曲平面は、中央湾曲部１２Ｃで囲まれて形成される湾曲平面に対して略直交するように設定されている。
【００２１】
一方側大径湾曲部１４Ａ１は、水平方向（図１乃至図３中矢印Ｙ方向）に延びる支柱Ｌ２を保持するものである。
【００２２】
一方側小径湾曲部１４Ａ２の先端部は、一方側小径湾曲部１４Ａ２で区画された湾曲平面の内部側へ折り曲げられている。これにより、一方側小径湾曲部１４Ａ２の先端部に作業者の手が接触することがなく、取り扱い性を高めることができる。
【００２３】
他方側湾曲部１４Ｂは、他方側大径湾曲部１４Ｂ１と、他方側小径湾曲部１４Ｂ２と、を有している。他方側大径湾曲部１４Ｂ１と他方側小径湾曲部１４Ｂ２は、相互に連続して一体形成されている。他方側大径湾曲部１４Ｂ１（あるいは他方側小径湾曲部１４Ｂ２）で囲まれて形成される湾曲平面は、中央湾曲部１２Ｃで囲まれて形成される湾曲平面に対して略直交するように設定されている。
【００２４】
他方側大径湾曲部１４Ｂ１は、水平方向（図１乃至図３中矢印Ｙ方向）に延びる支柱Ｌ２を保持するものである。
【００２５】
他方側小径湾曲部１４Ｂ２の先端部は、他方側小径湾曲部１４Ｂ２で区画された湾曲平面の内部側へ折り曲げられている。これにより、他方側小径湾曲部１４Ｂ２の先端部に作業者の手が接触することがなく、取り扱い性を高めることができる。
【００２６】
次に、農業・園芸用支柱の固定具１０を用いて各支柱を固定する方法について説明する。以下の説明では、２本の農業・園芸用の支柱Ｌ１、Ｌ２を略９０度の開き角度をもって同時に固定する態様を一例として挙げて、説明する。
【００２７】
図１乃至図３に示すように、例えば鉛直方向に延びる一方の支柱Ｌ１を中央湾曲部１２Ｃ又はその近傍に位置させて、その外周面の少なくとも一部を中央湾曲部１２Ｃ又はその近傍に接触させる。これにより、一方の支柱Ｌ１が第１保持部１２により保持可能になる。
【００２８】
そして、一方の支柱Ｌ１に交差して例えば水平方向に延びる他方の支柱Ｌ２に対して第２保持部１４を上方（あるいは下方）から覆い被せるようにして第２保持部１４の各湾曲部１４Ａ、１４Ｂを他方の支柱Ｌ２の外周面に引っ掛ける。このとき、各湾曲部１４Ａ、１４Ｂの各大径湾曲部１４Ａ１、１４Ｂ１側の湾曲の程度が若干解消する方向に圧力を加え、各大径湾曲部１４Ａ１、１４Ｂ１が僅かに弾性変形するようにして他方の支柱Ｌ２の外周面に引っ掛ける。これにより、支柱Ｌ２は、各大径湾曲部１４Ａ１、１４Ｂ１から所定の圧力を受けて保持される。
【００２９】
支柱Ｌ２には各大径湾曲部１４Ａ１、１４Ｂ１から所定の圧力（ばね力（弾性力））が作用し、支柱Ｌ２が支柱Ｌ１に接触しながら支柱Ｌ１を押圧する。支柱Ｌ２からの圧力を受けて、支柱Ｌ１が所定の圧力で中央湾曲部１２Ｃ又はその近傍を押圧する。これにより、支柱Ｌ１には中央湾曲部１２Ｃ側からの反作用力が作用し、ひいては支柱Ｌ１から支柱Ｌ２に対して所定の圧力（反作用力）が作用する。
【００３０】
この結果、支柱Ｌ１と支柱Ｌ２とは各大径湾曲部１４Ａ１、１４Ｂ１と中央湾曲部１２Ｃとで挟持され相互に作用・反作用の力を及ぼし合いながら、各々の姿勢が維持された状態で固定される。
【００３１】
なお、固定具１０を取り除く場合には、各湾曲部１４Ａ、１４Ｂの各大径湾曲部１４Ａ１、１４Ｂ１側をその曲げの程度が解消する方向に圧力を加えて弾性変形させながら、支柱Ｌ２から各大径湾曲部１４Ａ１、１４Ｂ１を取り外す。これにより、固定具１０を各支柱Ｌ１、Ｌ２から容易に取り外すことができる。
【００３２】
本実施形態の固定具１０によれば、２つの支柱Ｌ１、Ｌ２に対してワンタッチで容易に装着・取り外しすることができ、かつ線材の弾性力を利用して２つの支柱Ｌ１、Ｌ２を同時かつ確実に位置決めすることができる。
【００３３】
また、固定具１０は、１本の連続した線材で構成されていることにより、部品点数を削減でき、かつ線材の強力な弾性力を保持力として利用することができる。
【００３４】
さらに、各湾曲部１４Ａ１、１４Ｂ１と中央湾曲部１２Ｃとから所定の圧力をもって各支柱Ｌ１、Ｌ２が挟持されるため、各支柱Ｌ１、Ｌ２の姿勢の安定性を高めることができる。
【符号の説明】
【００３５】
１０      農業・園芸用支柱の固定具
１２      第１保持部
１２Ａ    第１延在部
１２Ｂ    第２延在部
１２Ｃ    中央湾曲部（湾曲部）
１４      第２保持部
１４Ａ    一方側湾曲部
１４Ａ１  一方側大径湾曲部（湾曲部）
１４Ａ２  一方側小径湾曲部
１４Ｂ    他方側湾曲部
１４Ｂ１  他方側大径湾曲部（湾曲部）
１４Ｂ２  他方側小径湾曲部
Ｌ１      支柱
Ｌ２      支柱
【図１】
0003186393.tif 000003
【図２】
0003186393.tif 000004
【図３】
0003186393.tif 000005